(57)【特許請求の範囲】
【請求項１】
第１主面と、前記第１主面と表裏の関係にある第２主面とを有し、
前記第１主面には、前記第２主面と平行な面に対して第１角度で傾斜した第１面と、前記平行な面に対して第２角度で傾斜した第２面とからなる単位プリズムを複数有する導光部材と、
前記第２面に配される反射層と、
前記導光部材の前記第２主面側に配される太陽電池パネルと、
前記導光部材の前記第１主面側に配される図柄シートと、からなり、
前記第２主面と前記図柄シートのシート面とが垂直であることを特徴とする太陽電池複合表示体。
【請求項２】
前記図柄シートが着脱可能であることを特徴とする請求項１に記載の太陽電池複合表示体。
【請求項３】
前記太陽電池パネルの受光面と、前記第２主面が平行であることを特徴とする請求項１に記載の太陽電池複合表示体。
【請求項４】
前記第１面は鉛直上方側を向いていることを特徴とする請求項１乃至請求項３のいずれか１項に記載の太陽電池複合表示体。
【請求項５】
前記第２面は鉛直下方側を向いていることを特徴とする請求項１乃至請求項３のいずれか１項に記載の太陽電池複合表示体。
【発明の詳細な説明】
【技術分野】
【０００１】
本発明は、表示を行うための表示面を含み、太陽電池パネルによる発電も行うことが可能な太陽電池複合型表示体に関する。
【背景技術】
【０００２】
周囲の環境との調和を図ると共に、表示面による表示及び太陽電池パネルによる発電の両立が可能であり、交通標識や広告などに供することができる太陽電池複合型表示体が提案されている。
【０００３】
上記のような太陽電池複合表示体の類例としては、特許文献１（特願２０１４−０７５５７１）には、第１面及び前記第１面に対向する第２面を有するシート状の本体部と、前記本体部の第２面に対向して配置された太陽電池パネルと、を備え、前記本体部の前記第１面は、一軸方向に交互に配列された複数の向き調整面及び複数の光透過面と、を含み、前記向き調整面は、前記太陽電池パネルのパネル面に対して傾斜し、前記光透過面は、前記太陽電池パネルのパネル面に対して前記向き調整面とは異なる角度で傾斜し、前記向き調整面に、表示を行うための表示面が配置されている、太陽電池複合型表示体が開示されている。
【特許文献１】特願２０１４−０７５５７１
【発明の概要】
【発明が解決しようとする課題】
【０００４】
特許文献１のものは、プリズムシートと太陽電池とからなる太陽電池複合型表示体であって、受光面と表示面が角度をなすように配置することにより、図柄の視認性と太陽電池の発電が両立できる太陽電池複合表示体である。
【０００５】
ところで、例えば、太陽電池複合表示体を広告に用いるような場合には、表示面の図柄の変更を適宜行いたい、というニーズがある。しかしながら、特許文献１のような太陽電池複合表示体では、表示面に図柄が固定されているために、太陽電池複合表示体の表示情報を変更するためにはプリズムシート全体を交換する必要があり、簡便に図柄を変更することができない、という問題があった。
【課題を解決するための手段】
【０００６】
本発明は以上のような課題を解決するためのものであり、本発明に係る太陽電池複合表示体は、第１主面と、前記第１主面と表裏の関係にある第２主面とを有し、前記第１主面には、前記第２主面と平行な面に対して第１角度で傾斜した第１面と、前記平行な面に対して第２角度で傾斜した第２面とからなる単位プリズムを複数有する導光部材と、前記第２面に配される反射層と、前記導光部材の前記第２主面側に配される太陽電池パネルと、前記導光部材の前記第１主面側に配される図柄シートと、からなり、前記第２主面と前記図柄シートのシート面とが垂直であることを特徴とする。
【０００７】
また、本発明に係る太陽電池複合表示体は、前記図柄シートが着脱可能であることを特徴とする。
【０００８】
また、本発明に係る太陽電池複合表示体は、前記太陽電池パネルの受光面と、前記第２主面が平行であることを特徴とする。
【００１０】
また、本発明に係る太陽電池複合表示体は、前記第１面は鉛直上方側を向いていることを特徴とする。
【００１１】
また、本発明に係る太陽電池複合表示体は、前記第２面は鉛直下方側を向いていることを特徴とする。
【発明の効果】
【００１２】
本発明の太陽電池複合表示体によれば、表示面の図柄の変更を簡便に行うことが可能となり、広告などへの利用性をより高めることができる。
【図面の簡単な説明】
【００１３】
【図１】本発明の実施形態に係る太陽電池複合表示体１００の斜視図である。
【図２】本発明の実施形態に係る太陽電池複合表示体１００で用いられる導光部材１０の構成を説明する斜視図である。
【図３】導光部材１０の単位プリズム３０の配列方向を側面からみた図である。
【図４】本発明の実施形態に係る太陽電池複合表示体１００の利用形態を説明する図である。
【図５】本発明の実施形態に係る太陽電池複合表示体１００の表示例を示す図である。
【発明を実施するための形態】
【００１４】
以下、本発明の実施の形態を図面を参照しつつ説明する。図１は本発明の実施形態に係る太陽電池複合表示体１００の斜視図である。また、図２は本発明の実施形態に係る太陽電池複合表示体１００で用いられる導光部材１０の構成を説明する図であり、図３は導光部材１０の単位プリズム３０の配列方向を側面からみた図である。
【００１５】
太陽電池複合表示体１００で用いられる導光部材１０としては、例えば、有機合成樹脂材料により形成されるプリズムシートを用いることができるが、ガラス基材のような無機材料で形成されたものを用いることもできる。
【００１６】
この導光部材１０は、第１主面１１と、この第１主面１１と表裏の関係にある第２主面１２とを有している。第１主面１１には、複数の単位プリズム３０が設けられており、多面状となっているが、第１主面１１を便宜上主面と称することとする。
【００１７】
導光部材１０の第２主面１２は平面であり、太陽電池パネル５０の受光面５１と接するようにして設けられている。なお、場合によっては、導光部材１０の第２主面１２と太陽電池パネル５０の受光面５１とを離間するように設けるようにしてもよいが、導光部材１０の第２主面１２と、太陽電池パネル５０の受光面５１とが平行であることが好ましい。
【００１８】
図２及び図３に示すように、導光部材１０の第１主面１１には、複数の単位プリズム３０が設けられている。また、第１主面１１に設けられている単位プリズム３０は、第２主面１２と平行な面（図３の点線で示す面）に対して第１角度θ1で傾斜した第１面３１と
、前記平行な面に対して第２角度θ2で傾斜した第２面３２とから構成されている。
【００１９】
導光部材１０の単位プリズム３０における第２面３２には、反射層４０が形成されており、導光部材１０の第１主面１１側から入射する光を反射することできるようになっている。なお、本実施形態では、複数の第２面３２には反射層４０を設けるようにしたが、複数の第２面３２に反射シートのような反射部材を取り付けるようにしてもよい。
【００２０】
また、導光部材１０の第１主面１１側には、図柄シート６０が設けられている。図柄シート６０は、太陽電池複合表示体１００で表示させたい図柄が設けられている。図１において、図柄シート６０の図１のＡで示す面に図柄を設けるようにする。なお、図１においては、図柄は図示省略している。なお、図柄シート６０を固定する構成については図示省略しているが、適当な構成を適宜用いることできる。この図柄シート６０は、着脱可能とされている。
【００２１】
なお、本実施形態においては、導光部材１０の第２主面１２と図柄シート６０のシート面とが、垂直となるようにレイアウトされているが、導光部材１０の第２主面１２と、図柄シート６０のシート面がなす角度は任意とすることができる。また、本実施形態においては、導光部材１０と、図柄シート６０とが略接するようにレイアウトされているが、導光部材１０と、図柄シート６０とを離間するように配置してもよい。
【００２２】
また、本発明に係る太陽電池複合表示体１００は、導光部材１０の第１面３１は、鉛直上方側を向いていることが好ましく、さらに導光部材１０の第２面３２は、前記第２面は鉛直下方側を向いていることが好ましい。
【００２３】
以上のように構成される太陽電池複合表示体１００の利用形態について説明する。図４は本発明の実施形態に係る太陽電池複合表示体１００の利用形態を説明する図である。
【００２４】
太陽電池複合表示体１００は、導光部材１０の第２主面１２が、鉛直方向と平行となるように配置することが想定されているが、このような配置に限らず、要は、導光部材１０の複数の第１面３１から図４に示すように、太陽Ｓの光を太陽電池パネル５０の受光面５１に導くことができるようなレイアウトであれば、どのような配置としてもよい。このように、導光部材１０の複数の第１面３１からは、太陽電池パネル５０が受光できるので、太陽電池複合表示体１００で発電が可能となる。
【００２５】
一方、導光部材１０の第２主面１２における反射層４０は、図柄シート６０を反射することで、観察者のアイポイントＥにおいては、図柄シート６０の反射像を視認することができるようになる。図５は本発明の実施形態に係る太陽電池複合表示体１００の表示例を示す図である。このように、太陽電池複合表示体１００は、表示と太陽電池パネル５０による発電の両立が可能であり、交通標識や広告などに供することができる。
【００２６】
さらに、ここで、図柄シート６０は、着脱可能に構成されているために、本発明の太陽電池複合表示体１００によれば、表示面の図柄の変更を簡便に行うことが可能となり、広告などへの利用性をより高めることができる。
【符号の説明】
【００２７】
１０・・・導光部材
１１・・・第１主面
１２・・・第２主面
３０・・・単位プリズム
３１・・・第１面
３２・・・第２面
４０・・・反射層
５０・・・太陽電池パネル
５１・・・受光面
６０・・・図柄シート
１００・・・太陽電池複合表示体
【図１】
0006414402.tif 000002
【図２】
0006414402.tif 000003
【図３】
0006414402.tif 000004
【図４】
0006414402.tif 000005
【図５】
0006414402.tif 000006